(57)【特許請求の範囲】
【請求項１】
１対のスピーカユニットと、１対の上記スピーカユニットを保持する筐体と、を備える音響装置であって、
１対の上記スピーカユニットは、それぞれの中心軸が互いに略一致し、かつ、１対のスピーカユニットにおける一対の振動板の前面側は、上記振動板のそれぞれが互いに逆方向に振動すべく、互いに逆方向に向いており、
上記筐体には突出部が設けられており、当該突出部の内部空間は上記筐体の内部空間に接続されており、
上記スピーカユニットとは異なる他のスピーカユニットが、上記筐体から離間して上記突出部の内部に、さらに設けられていることを特徴とする音響装置。
【請求項２】
上記突出部が上記中心軸と略垂直な方向に突出していることを特徴とする請求項１に記載の音響装置。
【請求項３】
上記突出部の形状が柱状であることを特徴とする請求項１または２に記載の音響装置。
【請求項４】
上記筐体が略同一直線上に振動方向を有する１対のパッシブラジエータをさらに備えていることを特徴とする請求項１〜３のいずれか１項に記載の音響装置。
【請求項５】
１対の上記スピーカユニットの間の距離と、１対の上記パッシブラジエータの間の距離とが、略同一であることを特徴とする請求項４に記載の音響装置。
【請求項６】
１対の上記パッシブラジエータの振動方向と、１対の上記スピーカユニットの振動方向とが、略同一であることを特徴とする請求項４または５に記載の音響装置。
【請求項７】
上記突出部が開口部を有することを特徴とする請求項１〜３のいずれか１項に記載の音響装置。
【請求項８】
上記開口部と対向する被覆部をさらに備えていることを特徴とする請求項７に記載の音響装置。
【請求項９】
上記被覆部が、上記被覆部と上記突出部との間に間隔を空けて、上記突出部を覆っていることを特徴とする請求項８に記載の音響装置。
【請求項１０】
１対の上記スピーカユニットにおける振動方向が変化することを特徴とする請求項１〜９のいずれか１項に記載の音響装置。
【請求項１１】
上記突出部は上記筐体との接続部を中心にして可動することを特徴とする請求項１０に記載の音響装置。
【請求項１２】
請求項１〜１１のいずれか１項に記載の音響装置と表示部とを備える表示装置。
【請求項１３】
上記表示部の表示面と、１対の上記スピーカユニットの振動方向とが、略平行であることを特徴とする請求項１２に記載の表示装置。
【請求項１４】
上記表示部の表示面と、１対の上記スピーカユニットの振動方向とが、略垂直をなすことを特徴とする請求項１２に記載の表示装置。
【請求項１５】
上記表示部の表示面と、１対の上記スピーカユニットの振動方向とが、鋭角をなすことを特徴とする請求項１２に記載の表示装置。
【請求項１６】
１対のスピーカユニットを保持するスピーカユニット保持部を備えているエンクロージャであって、
１対の上記スピーカユニットは、それぞれの中心軸が互いに略一致し、かつ、１対のスピーカユニットにおける１対の振動板の前面側は、一対の上記振動板のそれぞれが互いに逆方向に振動すべく、互いに逆方向に向いており、
上記エンクロージャには突出部が設けられており、当該突出部の内部空間は上記エンクロージャの内部空間に接続されており、
上記スピーカユニットとは異なる他のスピーカユニットが、上記スピーカユニット保持部から離間して上記突出部の内部に、さらに設けられていることを特徴とするエンクロージャ。
【発明の詳細な説明】
【技術分野】
【０００１】
本発明は、音響装置およびエンクロージャに関する。
【背景技術】
【０００２】
通常、音響装置は、スピーカユニットの振動によって音を放射する。スピーカユニットの振動によってスピーカユニットの前面側（ユーザ側）から放射される音と背面側から放射される音とは、正反対の位相を有する。よって、スピーカユニットの背面側から前面側に音が回りこむと、前面側から放射される音の一部が打ち消されてしまう。このため、例えば、スピーカユニットをスピーカボックス（エンクロージャ）に保持させることによって、スピーカユニットの背面側から放射される音が前面側に回りこむことを防止する。
【０００３】
しかし、スピーカユニットをエンクロージャに保持させた場合、スピーカユニットの振動がエンクロージャに伝わって、エンクロージャが振動する。エンクロージャが振動すると、エンクロージャの振動部分が音の発信源になってしまう。スピーカユニット以外に音の発信源ができると、音像のぼやけ、およびこもりなどの音質の劣化を生じる。よって、音響装置の音質を向上させるためには、エンクロージャの振動を抑制する必要がある。
【０００４】
エンクロージャの振動を抑制する技術として、特許文献１には、複数のドライバユニット（スピーカユニット）のそれぞれを同位相において駆動するとともに、複数のスピーカユニットのそれぞれがキャビネット（エンクロージャ）の互いに対向する面に取り付けられた低音再生スピーカが開示されている。上記構成によって、スピーカユニットの振動系がエンクロージャに与える振動反作用力が互いに打ち消し合うため、エンクロージャの振動が大幅に低減される。
【０００５】
また、特許文献２には、一対のスピーカユニットを、振動板を電気的に駆動する駆動部同士を対向させ、駆動の軸線が同一直線上に位置する配置状態を保つように、駆動部同士を機械的に結合する結合材を含むスピーカ装置が開示されている。上記構成において、結合材によって駆動部同士を結合しているので、スピーカの支持系などに生じる振動が、互いに打ち消し合う。
【特許文献１】特開平８−７９８７６号公報（平成８年３月２２日公開）
【特許文献２】特開２００４−１５５６５号公報（平成１６年１月１５日公開）
【発明の開示】
【発明が解決しようとする課題】
【０００６】
しかし、特許文献１および２に記載の技術によって、通常の大きさを有するエンクロージャの振動が抑制または大幅に低減されるものの、特許文献１および２には、小型化および薄型化した音響装置において、音質を維持しつつ、エンクロージャの振動を抑制する技術については、言及されていない。
【０００７】
近年、液晶表示装置などの表示装置に内蔵または付属させる音響装置には、薄型化および小型化の要求が高まっている。これは、本体である表示装置の市場の拡大に伴って、特に、表示装置の大画面化と薄型化とが非常な速度によって進んでいるためである。
【０００８】
薄型の表示装置への音響装置を取り付ける形態としては、以下の２つ：
表示パネルの左右に、スピーカユニットを保持しているエンクロージャを備えるスピーカパネル（ＬおよびＲ）を、１つづつ取り付けるサイドスピーカタイプ；および
表示パネルの下側に１つのスピーカパネル、または筐体を表示装置と共有するスピーカパネルを取り付けるアンダースピーカタイプ
が挙げられる。なお、アンダースピーカタイプは、スピーカパネルの内部の左および右に、あるいは左、右および中央に１つづつスピーカユニットを内蔵している。
【０００９】
上述のように、表示装置の薄型化によって、表示装置の筐体の厚さが小さくなっている（狭ベゼル化）。このため、サイドスピーカタイプ、およびアンダースピーカタイプのいずれの場合であってもスピーカパネルの本体（音響装置）が有する厚さを小さく（狭く）せざるを得ない。一方において、表示装置の大画面化は、表示される映像の迫力、および臨場感を高める。さらに、デジタル放送のサービス拡大または表示装置の高画質化によって、表示装置の映像処理能力が向上し、鮮明かつ美しい映像が提供されている。大迫力および高い臨場感を有し、かつ鮮明かつ美しい映像に合わせて、音響装置にも同様に、より迫力があり、かつ臨場感を高める音質が求められる。つまり、音響装置に対して、薄型化および小型化と同時に音質を向上する、という実現が困難な要求が高まっている。
【００１０】
音響装置に対する音質の向上を満たす方法としては、音響装置を表示装置の付属装置として、音響装置と表示装置とを分離する方法が挙げられる。この方法において、例えば、薄型の表示装置専用のラック台（ＡＶラック）に外部スピーカとＡＶアンプとを備える形態が考えられる。しかし、この場合、表示装置と音響装置（アンプおよびスピーカなど）との接続、ならびに表示装置と音響装置とからなるシステムの電源の立ち上げなどの操作が複雑になる。よって、ユーザによる操作、およびシステムのセットアップが煩雑になる。以上のことから、音響装置は、表示装置に内蔵、または表示装置と一体にすることが好ましく、音響装置の薄型化および小型化と同時に音質（音声処理能力）の向上を実現する必要がある。
【００１１】
音響装置を表示装置に内蔵、または表示装置と一体にする（単体のスピーカユニット、またはスピーカユニットを保持しているエンクロージャを表示装置の筐体の内部に取り付ける）場合、通常、以下の２通りの構成：
（１）比較的に幅狭かつ小型の略長方形状のスピーカユニット、またはエンクロージャを、表示装置の筐体に直接に固定する構成；および
（２）小口径の円型、または長方形型のスピーカユニットを保持している薄型のスピーカボックスを、表示装置の筐体に直接に固定する構成
が挙げられる。
【００１２】
（１）および（２）の構成において、表示装置の薄型化によって、スピーカユニットの背面側の空間を、大きく確保することができない。これは、表示装置の筐体が薄いことに加えて、表示装置の動作に必要な構成がスピーカユニットの配置位置または形状に干渉するためでもある。しかし、スピーカユニットの背面側に確保できる空間があまりに小さいと、特に、低音の音質が劣化する。
【００１３】
さらに、低音を再生すると、スピーカユニットの振動がエンクロージャまたは表示装置の筐体に伝わり易い。上述のように、スピーカユニット以外にも振動が生じると、音質の劣化に繋がる。薄型の表示装置、およびＣＲＴを用いた表示装置に限らず、音響装置と一体化した装置において、装置本体のびびり音および筐体の振動は、音質の向上を実現するために解決すべき共通の問題点である。
【００１４】
本発明は、上記課題を鑑みてなされたものであり、本発明の目的は、小型化および薄型化と同時に、音質の向上を実現する音響装置およびエンクロージャを提供することである。
【課題を解決するための手段】
【００１５】
本発明の音響装置は、上記課題を解決するために、
１対のスピーカユニットと、１対の上記スピーカユニットを保持する筐体と、を備える音響装置であって、
１対の上記スピーカユニットは、それぞれの中心軸が互いに略一致し、かつ、１対のスピーカユニットにおける一対の振動板の前面側は、一対の上記振動板のそれぞれが互いに逆方向に振動すべく、互いに逆方向に向いており、
上記筐体には突出部が設けられており、当該突起部の内部空間は上記筐体の内部空間に接続されていることを特徴とする。
【００１６】
複数のスピーカユニットを備える従来の音響装置において、通常、複数のスピーカユニットをおおよそ点対照、線対称、または面対照に配置することによって、所定の空間において所望の音響特性を実現する。このため、上記構成において、筐体は、複数のスピーカユニットを所望の配置に保持する形状を有している必要がある。筐体の形状としては、例えば、点対照、線対称、または面対照な複数の平面または曲面を有する立体であり、より詳細には、正多面体、多面体、直方体、一部に曲面または球面を有する立体、球状、あるいはこれらの組み合わせなどである。このため、例えば、音響装置を他の装置と組み合わせる場合、または音響装置の配置位置に制限がある場合、適切な形状を維持し、かつ小型化および薄型化する必要などから、筐体は、所望の容積を確保できる大きさに形成することができないことがある。
【００１７】
一方、上記構成において、突出部とは、スピーカユニットを保持するために必須の部分ではなく、筐体内部の空間を広げるための部分である。つまり、突出部は、筐体のスピーカユニットを保持する部分のように、他の構成または周囲の環境から形状に制限を受けない。よって、突出部の形状および大きさを、必要に応じて変更することができるので、突出部の容積を、必要に応じて増減させることができる。例えば、音響装置を他の装置と組み合わせる場合、他の装置の形状および他の装置の構成に合わせて、突出部の形状および大きさを変更すればよい。また、例えば、音響装置を限られた空間に配置する場合、空いた空間を利用して、突出部の形状および大きさを変更すればよい。また、例えば、突出部の大きさおよび形状を変更して、スピーカユニットから所望の音響特性を有する音を放射することができる。
【００１８】
以上のことから、上記構成によって、筐体のスピーカユニットを保持する部分だけでは確保できない筐体の容積を、突出部の容積によって補うことができる。小型および薄型の音響装置を実現する場合、筐体の容積を十分に確保することによって、特に、スピーカユニットから放射される低音の音質を向上させることができる。
【００１９】
また、上記構成において、１対のスピーカユニットは、それぞれの中心軸が略一致し、かつ１対のスピーカユニットにおける一対の振動板の前面側は、一対の上記振動板のそれぞれが互いに逆方向に振動すべく、互いに逆方向に向けて配置されている。これによって、筐体に配置された１対のスピーカユニットは、互いに正反対の方向に離れていくように、音を放射することができる。つまり、例えば、一方のスピーカユニットが右方向に振れたとき、他方のスピーカユニットは左方向に振れる。よって、１対のスピーカユニットの振動によって発生して、筐体に伝わる振動は、互いに減衰される。ここで、１対のスピーカユニットとして、同じ動作をするスピーカユニットを用いれば、１対のスピーカユニットの振動によって発生した、筐体に伝わる振動は、互いに打ち消される。以上のことから、上記構成によって、スピーカユニットからの音の放射によって発生する筐体の振動が、大幅に抑制、または防止される。つまり、筐体の振動による、音響装置の音質の劣化、および他の装置と組み合わせたときの他の装置への悪影響が、大幅に抑制、または防止される。
【００２０】
さらに、上述のように、筐体に配置された１対のスピーカユニットは、互いに正反対の方向に音を放射する。よって、音響装置は、例えば、ユーザから見て前後に音を放射するので、音響装置を配置した空間の壁面に反射して、音響特性が向上する。結果として、ユーザに音源点とスピーカユニットの位置とがより一致していると感じさせ、かつユーザに音場の広がりを感じさせる。
【００２１】
また、上述のように、小型化および薄型化を実現し、かつ他の装置と組み合わせたときに振動を生じない音響装置が実現されるので、デザイン性などを重視して、配置位置を自由に選択することができる。
【００２２】
以上をまとめると、上記構成によって、小型化および薄型化と同時に、音質の向上を実現する音響装置を提供することができるという効果を奏する。
【００２３】
また、本発明の音響装置において、
上記突出部が、上記直線と略垂直な方向に突出していることが好ましい。
【００２４】
上記構成としては、筐体全体の形状が、例えば、Ｔ字型を有している場合などである。よって、１対のスピーカユニットの間に大きな間隔を設けることができない場合であっても、１対のスピーカユニットの配列方向から見て、垂直な方向に筐体内部の空間が大きく確保される。
【００２５】
また、本発明の音響装置において、
上記突出部の形状が、柱状であることが好ましい。
【００２６】
上記構成において、筐体は柱状を有している。柱状とは、例えば、円柱または多角柱などの細長い筒状の形状を意味している。このため、奥行きが狭く、かつ細長い空間に突出部を形成することができる。つまり、わずかな空間を利用して、筐体内部の空間が大きく確保される。
【００２７】
また、本発明の音響装置において、
上記筐体は、略同一直線上に振動方向を有する１対のパッシブラジエータをさらに備えていることが好ましい。
【００２８】
パッシブラジエータをさらに備えているため、低音域の音がより増強される。また、互いに対向する１対のパッシブラジエータは、逆向きに振動するので、パッシブラジエータの振動が減衰、または打ち消されて、筐体の振動を抑制または防止する。
【００２９】
また、本発明の音響装置において、
１対の上記スピーカユニットの間の距離と、１対の上記パッシブラジエータの間の距離とが、略同一であることが好ましい。
【００３０】
上記構成によれば、音響装置を他の装置の内部に組み込むことことが容易になる。
【００３１】
また、本発明の音響装置において、
１対の上記パッシブラジエータの振動方向と、１対の上記スピーカユニットの振動方向とが、略同一であることが好ましい。
【００３２】
上記構成によれば、音響装置を他の装置の内部に組み込むことが容易になる。
【００３３】
また、本発明の音響装置において、
上記突出部が開口部を有することが好ましい。
【００３４】
上記構成において、筐体の内部と外部とは、突出部の開口部を介して繋がっている。このため、１対のスピーカユニットにおける筐体の内部側からの音は、突出部の開口および突出部と被覆部との隙間を介して、外部に放射される。このとき、開口部は、バスレフポートとして機能する。すなわち、上記構成によって、さらに低音域の音が増強される。
【００３５】
また、本発明の音響装置において、
上記開口部と対向する被覆部をさらに備えていることが好ましい。
【００３６】
上記構成において、開口部は、間隔を空けて被覆部に覆われている。よって、開口部から放射された音は、被覆部を回り込んで外部に達する。被覆部の形状を適宜変えることによって、開口部から放射される音が所望の位置にまで誘導される。
【００３７】
また、本発明の音響装置において、
上記突出部が開口部を有し、
上記被覆部が、上記被覆部と上記突出部との間に間隔を空けて上記突出部を覆っていることが好ましい。
【００３８】
上記構成において、開口部を含む突出部と被覆部との間には、間隔が空けられている。つまり、筐体の内部と外部とは、突出部の開口部および突出部と被覆部との隙間を介して、繋がっている。このため、開口部から放射される音を、スピーカユニットが保持されている筐体の近くにまで誘導することができる。
【００３９】
また、本発明の音響装置において、
上記スピーカユニットとは異なる他のスピーカユニットが、上記筐体から離間して上記突出部の内部に、さらに設けられていることが好ましい。
【００４０】
１対のスピーカユニットが振動によって筐体の外側に移動するとき、通常、密閉された筐体内の空間における圧力が下がる。このため、１対のスピーカユニットには内部に引き戻される力が働いて１対のスピーカユニットの振幅が小さくなる。スピーカユニットの振幅の低下は、スピーカユニットからの音圧の低下に繋がる。ここで、上記構成において、突出部の内部にあるスピーカユニットは、１対のスピーカユニットと同期して振動する。このため、突出部の内部にあるスピーカユニットの振動によって、１対のスピーカユニットの振動による筐体内における圧力の変化量を減少させる。よって、１対のスピーカユニットの振動を補助して、音圧の低下を抑制する。
【００４１】
本発明の音響装置は、上記課題を解決するために、
１対のスピーカユニットと、１対の上記スピーカユニットを保持する筐体と、を備える音響装置であって、
１対の上記スピーカユニットは、それぞれの中心軸が互いに略一致し、かつ、１対のスピーカユニットにおける一対の振動板の前面側は、一対の上記振動板のそれぞれが互いに逆方向に振動すべく、互いに逆方向に向いており、
上記筐体の形状が柱状である
ことを特徴とする。
【００４２】
上記構成において、筐体は柱状を有している。柱状とは、例えば、円柱または多角柱などの細長い筒状の形状を意味している。このため、奥行きが狭く、かつ細長い空間に容積の大きい筐体を配置することができる。例えば、音響装置を、大画面を有する薄型の表示装置に適用する場合、特に、スピーカユニットから音質の高い低音を放射することができる。また、筐体の長軸方向の長さを変えることによって、スピーカユニットから放射する音の音響特性に合わせて、筐体の容積を所望の大きさに変えることができる。
【００４３】
また、筐体が柱状を有しているため、筐体のほとんどの位置において、複数のスピーカユニットをおおよそ点対称、線対称、または面対称に配置することができる。よって、複数のスピーカユニットによって、所定の空間において所望の音響が実現される。
【００４４】
また、上記構成において、１対のスピーカユニットにおける振動板の前面側は、略一致する上記スピーカユニットの中心軸上において逆向きに振動すべく、配置されている。よって、上述のように、筐体の振動による、音響装置の音質の劣化、および他の装置と組み合わせたときの他の装置への悪影響が大幅に抑制、または防止される。さらに、ユーザに音源点とスピーカユニットの位置とがより一致していると感じさせ、かつユーザに音場の広がりを感じさせる。
【００４５】
また、上述のように、小型化および薄型化を実現し、かつ他の装置と組み合わせたときに振動を生じない音響装置を実現することができるので、デザイン性などを重視して、配置位置を自由に選択することができる。
【００４６】
以上をまとめると、上記構成によって、小型化および薄型化と同時に、音質の向上を実現する音響装置を提供することができるという効果を奏する。
【００４７】
また、本発明の音響装置において、
１対の上記パッシブラジエータの振動方向と、１対の上記スピーカユニットの振動方向とが、直角をなすことが好ましい。
【００４８】
１対のパッシブラジエータと１対のスピーカユニットとを同一の方向に振動させるべく、配置することが困難であっても、パッシブラジエータの配置を可能にする。例えば、上記構成によって、ユーザから見て、１対のスピーカユニットが前後に音を放射し、かつ１対のパッシブラジエータが上下に音を放射することができる。また、例えば、上記構成によって、ユーザから見て、１対のスピーカユニットが左右に音を放射し、かつ１対のパッシブラジエータが上下に音を放射することができる。
【００４９】
また、本発明の音響装置において、
１対の上記スピーカユニットにおける振動方向が変化することが好ましい。
【００５０】
上記構成によって、１対のスピーカユニットによる音の放射方向を変えることができる。
【００５１】
また、本発明の音響装置において、
上記突出部は、上記筐体との接続部を中心にして可動することが好ましい。
【００５２】
上記構成によって、ユーザが、必要に応じて、１対のスピーカユニットによる音の放射方向を変えることができる。
【００５３】
本発明の表示装置は、上記課題を解決するために、上述したいずれかの音響装置と表示部とを備えている。
【００５４】
上述の音響装置は、いずれも小型化および薄型化と同時に、音質の向上を実現する。よって、小型化および薄型化と同時に、音質の向上を実現する表示装置を提供することができる。
【００５５】
また、本発明の表示装置において、
表示部をさらに備え、
上記表示部の表示面と、１対の上記スピーカユニットの振動方向とが、略平行であることが好ましい。
【００５６】
上記構成によって、１対の上記スピーカユニットは、ユーザから見て上下または左右に音を放射することができる。
【００５７】
また、本発明の表示装置において、
表示部をさらに備え、
上記表示部の表示面と、１対の上記スピーカユニットの振動方向とが、略垂直をなすことが好ましい。
【００５８】
上記構成によって、１対の上記スピーカユニットは、ユーザから見て前後に音を放射することができる。
【００５９】
また、本発明の表示装置において、
表示部をさらに備え、
上記表示部の表示面と、１対の上記スピーカユニットの振動方向とが、鋭角をなすことが好ましい。
【００６０】
例えば、２つの音響装置を表示装置の表示部の左右に配置した場合、ユーザは、２つの音響装置からの音が分離したように感じることなく、より自然な音として感じることができる。また、例えば、２つの音響装置を表示装置の表示部の左右に配置した場合、ユーザの鑑賞位置に関わらず、ユーザにとって２つの音響装置からの音の圧力の差が小さくなる。
【００６１】
本発明のエンクロージャは、上記課題を解決するために、
１対のスピーカユニットを保持するエンクロージャであって、
１対の上記スピーカユニットは、それぞれの中心軸が互いに略一致し、かつ、１対のスピーカユニットにおける振動板の前面側は、一対の上記振動板のそれぞれが互いに逆方向に振動すべく、互いに逆方向に向いており、
上記エンクロージャには突出部が設けられており、当該突起部の内部空間は上記エンクロージャの内部空間に接続されていることを特徴とする。
【００６２】
上記構成によって、エンクロージャのスピーカユニットを保持する部分だけでは確保できないエンクロージャの容積を、突出部を用いて補うことができる。特に、小型の音響装置を実現する場合、エンクロージャの容積を十分に確保することによって、スピーカユニットから放射される低音の音質を向上させることができる。
【００６３】
また、筐体の振動による、音響装置の音質の劣化、および他の装置と組み合わせたときの他の装置への悪影響が大幅に抑制、または防止される。さらに、ユーザに音源点とスピーカユニットの位置とがより一致していると感じさせ、かつユーザに音場の広がりを感じさせる。
【００６４】
よって、小型化および薄型化と同時に、音質の向上を実現するエンクロージャを提供することができるという効果を奏する。
【発明の効果】
【００６５】
以上のように、本発明の音響装置において、筐体の内部の空間と連続する中空を有する突出部が接続されている。よって、小型化および薄型化と同時に、音質の向上を実現する音響装置を提供することができる。
【発明を実施するための最良の形態】
【００６６】
本発明に係る実施形態について、図１〜図９を参照して説明する。以下の説明において同一の部材および構成要素のそれぞれには、同一の符号を付してある。それらの名称および機能も同様である。したがって、それらについての詳細な説明は繰り返さない。
【００６７】
〔実施の形態１〕
本発明の一実施形態について、図１〜図５を参照して以下に説明する。図１は、本発明の一実施形態にかかる音響装置１０の構成を示す斜視図である。図２は、図１の変形例である音響装置２０の構成を示す斜視図である。図３（ａ）は、図１の他の変形例である音響装置３０の構成を示す斜視図であり、図３（ｂ）は、（ａ）の音響装置３０における音の放射部分を示す斜視図である。図４は、図１のさらに他の変形例である音響装置４０の構成を示す斜視図である。図５（ａ）は、液晶表示装置９における図１の音響装置１０の配置例を示す平面図であり、図５（ｂ）は、（ａ）の液晶表示装置９の断面図である。
【００６８】
なお、本実施形態において、スピーカユニットの前面側とは、スピーカユニットのエンクロージャの外部を向いている側を意味し、かつスピーカユニットの背面側とは、スピーカユニットのエンクロージャの内部を向いている側を意味する。また、液晶表示装置の前面側とは、映像を表示する表示部がある側を意味し、かつ液晶表示装置の背面側とは、前面側の反対側を意味する。
【００６９】
（音響装置１０）
図１に示すように、大画面を有し、かつ薄型のＴＶである液晶表示装置（表示装置）９は、表示部の下部の両端に１対の音響装置１０を備えている。音響装置１０は、略同一直線（スピーカユニットの中心軸）上において逆向きに振動する１対のスピーカユニット３、およびＴ字型のエンクロージャ（筐体）１を備えている。エンクロージャ１は、１対のスピーカユニット３を保持する円筒形のスピーカユニット保持部１ａ、および上記直線と略垂直な方向に突出する円筒形の突出部１ｂから構成され、スピーカユニット保持部１ａと突出部１ｂとの内部が繋がっている。突出部１ｂは、スピーカユニット保持部１ａの両端よりも内側において、スピーカユニット保持部１ａから突出している。すなわち、突出部１ｂは、１対のスピーカユニット３のいずれに対しても背面側に位置している。また、スピーカユニット保持部１ａおよび突出部１ｂの口径は、１対のスピーカユニット３の口径とほぼ同じである。
【００７０】
ここで、スピーカユニット保持部１ｂの容積は、液晶表示装置９の厚さによって制限を受ける。さらに、スピーカユニット３およびスピーカユニット保持部１ｂが有する口径は、液晶表示装置９の下部における（特に、高さ方向に対する）スペースによって制限を受ける。しかし、上述のように、エンクロージャ１は、突出部１ｂを有しているため、さまざまな制限を受けるスピーカユニット保持部１ｂの容積を補うことができる。これによって、限られたスペースに配置された小型および薄型の音響装置１０は、エンクロージャ１の内部に十分な容積が確保されているので、音質に優れた低音域の音を出すことができる。なお、突出部１ｂの長さ（紙面における左右の長さ）は、必要に応じて、スピーカユニット保持部１ｂの長さ（紙面における上下の長さ）よりも長く、または短く変更してもよい。突出部１ｂの長さを変更することによって、１対のスピーカユニット３から放射される音に求められる音響特性に合わせて、エンクロージャ１の容積を変更することができる。
【００７１】
さらに、上述のように、略同一の口径を有する１対のスピーカユニット３は、略同一直線上において逆向きに振動する。よって、１対のスピーカユニット３が振動して音を放射しても、１対のスピーカユニット３の振動は、互いに減衰し合うまたは打ち消し合う。つまり、１対のスピーカユニット３からの音の放射による、エンクロージャ１の振動が抑制または防止される。このため、音響装置と他の装置とを組み合わせたときに生じる、他の装置に振動が伝わるという問題が、大幅に軽減される、または解消される。よって、音響装置における、他の装置と組み合わせたときの音質の劣化を抑制する。また、液晶表示装置９の内のどこに音響装置１０を配置するのかを、自由に選択することができる。また、上述のように、音響装置１０が小型および薄型であるため、液晶表示装置９の表示部に対して、それ以外の部分（ここでは、表示部の下部）を過剰に大きくする必要がない。よって、液晶表示装置９は、デザイン性を重視した設計が可能である。
【００７２】
上述のように、１対のスピーカユニット３は、逆向きに振動して音を放射する。よって、音響装置１０は、ユーザから見て前後に音を放射するので、液晶表示装置９を配置した空間の壁面に反射して、音響特性が向上する。結果として、ユーザに音源点とスピーカユニットの位置とがより一致していると感じさせ、かつユーザに音場の広がりを感じさせる。
【００７３】
上述のように、突出部１ｂは、１対のスピーカユニット３のいずれに対しても背面側に位置している。つまり、突出部１ｂは、１対のスピーカユニットの幅よりも短い直径を有する円筒なので、液晶表示装置９の内部における突出部１ｂの周囲の空間には、多少の余裕がある。よって、突出部１ｂの周囲には液晶表示装置９の動作に必要な構成が備えられていてもよい。突出部１ｂが、１対のスピーカユニット３の背面側に位置していれば、薄型のＴＶのように狭い空間しか確保できない場合であっても、音響装置１０の取り付けが容易である。
【００７４】
また、上述のように、スピーカユニット保持部１ａおよび突出部１ｂの口径は、１対のスピーカユニット３の口径とほぼ同じである。このような形状の音響装置１０は、コンパクトであり、かつバッフル面をほとんど有していないため、音場的に点音源に近くなる。よって、音響装置１０から放射される音は、より自然な音としてユーザに知覚される。
【００７５】
以上のように、上記構成によって、小型化および薄型化と同時に、音質の向上を実現する音響装置１０を提供することができる。音響装置１０は、特に、大画面および薄型の液晶表示装置９への適用に好適である。
【００７６】
ここで、スピーカユニット保持部１ａと突出部１ｂとは、角度が変わるように接合されていることが好ましい。例えば、スピーカユニット保持部１ａと突出部１ｂとを蛇腹状の弾性体によって接合すればよい。これによって、スピーカユニット保持部１ｂを突出部１ｂに対して回動させることができる。つまり、１対のスピーカユニット３からの音の放射方向を自由に変更することができる。
【００７７】
ここでは、エンクロージャ１を構成するスピーカユニット保持部１ａおよび突出部１ｂが有する形状は、円筒形である。円筒形などのように内部が流線形状を有していることは、スピーカユニット３の振動によって生じるエンクロージャ１内部における風切り音を、小さくするために有効である。しかし、スピーカユニット保持部１ａおよび突出部１ｂは、円筒形に限らず、三角柱、四角柱、五角柱および六角柱などの多角柱、ならびに断面が長円形を有する筒状のような柱状を有していればよい。
【００７８】
（音響装置２０）
音響装置２０は、音響装置１０と多くの点において共通しているので、音響装置２０と音響装置１０との差異およびその作用について、図２を用いて以下に説明する。
【００７９】
図２に示すように、液晶表示装置２９の下部の両端に配置された音響装置２０は、１対のスピーカユニット３を保持するスピーカユニット保持部１ａ、１対のパッシブラジエータ５を保持するパッシブラジエータ保持部１ｃ、およびスピーカユニット保持部１ｂとパッシブラジエータ保持部１ｃとを繋ぐ突出部１ｂ’からなるエンクロージャ２１を備えている。つまり、音響装置２０は、１対のパッシブラジエータ５とパッシブラジエータ保持部１ｃとを備えているため、Ｈ字型を有している点において、音響装置１０と異なっている。
【００８０】
１対のパッシブラジエータ５は、逆向きに対向配置されている。よって、１対のスピーカユニット３の振動に伴って振動する１対のパッシブラジエータ５は、互いに同一直線上において逆向きに振動する。つまり、１対のパッシブラジエータ５による振動は、エンクロージャ２１および液晶表示装置２９にほとんど伝わらない。このため、音質の劣化が、大幅に抑制、または防止される。
【００８１】
ここで、エンクロージャ２１の容積は、突出部１ｂ’だけでなく、パッシブラジエータ保持部１ｃによっても補われている。さらに、エンクロージャ２１は、１対のパッシブラジエータ５を備えている。これらのことから、１対のスピーカユニット３から放射される低音域の音がさらに増強される。
【００８２】
また、１対の上記スピーカユニット３の間にある距離と、１対の上記パッシブラジエータの間にある距離とが同一である。つまり、スピーカユニット保持部１ｂとパッシブラジエータ保持部１ｃとが有する長さ（紙面の上下の長さ）が同じである。よって、音響装置２０は、他の装置（ここでは、液晶表示装置２９）に組み込むことが容易になる。
【００８３】
また、１対の上記パッシブラジエータの振動方向と、１対の上記スピーカユニットの振動方向とが、平行である。つまり、スピーカユニット保持部１ｂとパッシブラジエータ保持部１ｃとは、長さ方向が平行になるように並んでいる。よって、音響装置２０は、他の装置（ここでは、液晶表示装置２９）に組み込むことが容易になる。
【００８４】
ここで、スピーカユニット保持部１ａと突出部１ｂ’とパッシブラジエータ保持部１ｃとは、角度が変わるように接合されていることが好ましい。例えば、スピーカユニット保持部１ａと突出部１ｂ’とを、および突出部１ｂ’とパッシブラジエータ保持部１ｃとを、蛇腹状の弾性体によって接合すればよい。また、例えば、突出部１ｂ’の全体を蛇腹状の弾性体によって形成すればよい。これによって、スピーカユニット保持部１ｂをパッシブラジエータ保持部１ｃに対して回動させることができる。つまり、１対のスピーカユニット３からの音の放射方向を自由に変更することができる。
【００８５】
また、音響装置２０において、１対のスピーカユニット３が表示部の端部付近に配置され、かつ１対のパッシブラジエータ５は、１対のスピーカユニット３よりも表示部の中央側に配置されている。つまり、人間にとって方向を感じ取り易い中高域を含むすべての音域の音が、液晶表示装置２９の内、最も左右に離れた位置にある音源から放出される。よって、ユーザが明瞭に広がる音像を感じるため、ステレオ効果が向上する。
【００８６】
一方、音響装置２０において、１対のスピーカユニット３が表示部の端部付近に配置され、かつ１対のスピーカユニット３は、１対のパッシブラジエータ５よりも表示部の中央側に配置されていてもよい。１対のパッシブラジエータ５から放射される低域の音は、人間にとって中高域の音よりも音の広がりを感じ取り難い。しかし、液晶表示装置２９のように大型のＴＶであれば、両端の距離が十分に大きいため、低域の音を広がりのある音としてユーザが知覚することができる。この構成によって、広がりのある低音を実現して、ユーザに音に包まれたような心地よさを提供することができる。
【００８７】
（音響装置３０）
音響装置３０は、音響装置１０と多くの点において共通しているので、音響装置３０と音響装置１０との差異およびその作用について、図３を用いて以下に説明する。
【００８８】
図３（ａ）に示すように、液晶表示装置３９の下部の両端に配置された音響装置３０は、１対のスピーカユニット３を保持するスピーカユニット保持部１ａ、スピーカユニット保持部１ａとの接合部とは反対側に開口部３３を有する突出部１ｂ’’、および突出部１ｂ’’を、隙間を空けて取り囲む被覆部１ｄからなるエンクロージャ３１を備えている。つまり、音響装置３０は、突出部１ｂ’’が開口部３３を有し、かつ被覆部１ｄによって取り囲まれている点において、音響装置１０と異なっている。
【００８９】
上記構成において、１対のスピーカユニット３の振動によって生じる音の内、背面側に放射される音は、突出部１ｂ’’の開口部３３、および突出部１ｂ’’と被覆部１ｄとの隙間を通って、外部に放射される。つまり、エンクロージャ３１は、バスレフポートを備えるエンクロージャである。よって、音響装置３０から放射される低音域の音が、さらに増強される。
【００９０】
また、被覆部１ｄは、突出部１ｂ’’をスピーカユニット保持部１ａの近くまで取り囲んでいる。このため、図３（ｂ）に示すように、バスレフポートを通過した低音域の音が、１対のスピーカユニット３の非常に近くから、放射される。
【００９１】
（音響装置４０）
音響装置４０は、音響装置１０と多くの点において共通しているので、音響装置４０と音響装置１０との差異およびその作用について、図４を用いて以下に説明する。
【００９２】
図４に示すように、液晶表示装置４９の下部の両端に配置された音響装置４０は、１対のスピーカユニット３を保持するスピーカユニット保持部１ａ、内部にスピーカユニット４１を有する突出部１ｂ’’および突出部１ｂを備えている。つまり、音響装置４０は、突出部１ｂの内部にさらにスピーカユニット４１が形成されている点において、音響装置１０と異なっている。
【００９３】
スピーカユニット４１は、１対のスピーカユニット３と同期して、振動する。例えば、スピーカユニット４１は、１対のスピーカユニット３がエンクロージャ１内部の圧力が下がる方向（前面側）に振れると、エンクロージャ１内部の圧力を上げる方向（スピーカユニット保持部１ａ側）に振れる。一方、スピーカユニット４１は、１対のスピーカユニット３がエンクロージャ１内部の圧力が上がる方向（背面側）に振れると、エンクロージャ１内部の圧力を下げる方向（スピーカユニット保持部１ａとは反対側）に振れる。つまり、１対のスピーカユニット３の振動によって変化する、エンクロージャ１内部の圧力の変化量が小さくなるように、スピーカユニット４１は振動する。よって、スピーカユニット４１は、１対のスピーカユニット３の振幅を小さくする要因を軽減する。このため、１対のスピーカユニット３から放射される音の音圧が向上する。
【００９４】
（液晶表示装置９）
音響装置１０と液晶表示装置９との組み合わせの例について、図５を用いて以下に説明する。
【００９５】
図５（ａ）に示すように、２つの音響装置１０は、液晶表示装置９の下部の両端に取り付けられている。つまり、液晶表示装置は９、アンダースピーカタイプの表示装置である。２つの音響装置１０のそれぞれは、スピーカユニット保持部１ａが液晶表示装置９の端部付近に位置するように配置されている。つまり、２つの音響装置１０は、大画面および薄型の液晶表示装置９の目立たない位置に配置されている。上述のように、音響装置１０は、音の放射によって液晶表示装置９に振動を伝えることがないので、液晶表示装置９の内、筐体の四隅のような目立たない位置にスピーカユニット３を配置することができる。よって、液晶表示装置９のデザイン性を引き出す、音響装置１０の配置を可能にする。
【００９６】
図５（ｂ）に示すように、１対のスピーカユニット３の内、液晶表示装置９の前面側にあるスピーカユニット３は、表示部と平行ではなく、液晶表示装置９の中央側を向いている。ここで、液晶表示装置９が大画面であるため、左右の音響装置１０からの音が、それぞれ真正面に放射された場合、ユーザが鑑賞する位置によっては、左右の音響装置１０からの音が分離したようにユーザに聞こえることがある。しかし、上記構成によって、ユーザは、左右の音響装置１０からの音をより自然な音として聴くことができる。また、１対のスピーカユニット３の内、液晶表示装置９の背面側にあるスピーカユニット３は、液晶表示装置９の外側を向いている。このため、スピーカユニット３が真後ろを向いているときのように、背面側の壁面と液晶表示装置９との間に音がこもることなく、背面側にある壁面などに反射して、前面側に音が回りこむ。よって、ユーザは、背面側からの音をより自然な音として聴くことができる。
【００９７】
なお、ここでは、音響装置１０を備える液晶表示装置９について説明したが、音響装置２０を備える液晶表示装置２９、音響装置３０を備える液晶表示装置３９、および音響装置４０を備える液晶表示装置４９も同様の作用を有している。また、ここでは、アンダースピーカタイプの液晶表示装置９について説明したが、液晶表示装置９は、表示部の上部の両端に音響装置１０が取り付けられたアップスピーカタイプの表示装置であってもよい。
【００９８】
〔実施の形態２〕
本発明の他の実施形態について、図６〜図９を参照して以下に説明する。図６は、本発明の他の実施形態にかかる音響装置６０の構成を示す斜視図である。図７は、図６の変形例である音響装置７０の構成を示す斜視図である。図８（ａ）は、図６の他の変形例である音響装置８０の構成を示す斜視図であり、図８（ｂ）は、（ａ）の配置方向を変えた時の構成を示す斜視図である。図９（ａ）は、液晶表示装置７９における図７の音響装置７０の配置例を示す平面図であり、図９（ｂ）は、（ａ）の断面図である。
【００９９】
（音響装置６０）
図６に示すように、大画面を有し、かつ薄型のＴＶである液晶表示装置（表示装置）６９は、表示部の側部の両方に１つづつ音響装置６０を備えている。音響装置６０は、略同一直線（スピーカユニットの中心軸）上において逆向きに振動する１対のスピーカユニット３、および円筒形のエンクロージャ（筐体）６１を備えている。１対のスピーカユニット３は、エンクロージャ６１の長軸方向の端部に保持されている。
【０１００】
ここで、エンクロージャ６１の容積は、液晶表示装置９の厚さによって制限を受ける。しかし、エンクロージャ６１は、表示部の上下方向の長さと略同一の長さを有している。このため、大画面を有する液晶表示装置６９に適用した場合、エンクロージャ６１内部の容積が十分に確保される。
【０１０１】
さらに、上述のように、略同一の口径を有する１対のスピーカユニット３は、略同一直線上において逆向きに振動する。よって、１対のスピーカユニット３は、実施の形態１と同様の作用を有している。つまり、音響装置における、他の装置と組み合わせたときの音質の劣化を抑制する。また、液晶表示装置６９の表示部の側部などの目立たない位置に音響装置６０を配置することができる。
【０１０２】
上述のように、１対のスピーカユニット３は、逆向きに振動して音を放射する。よって、音響装置６０は、ユーザから見て上下に音を放射するので、液晶表示装置６９を配置した空間の床面および天井などに反射して、音響特性が向上する。結果として、ユーザに音源点とスピーカユニットの位置とがより一致していると感じさせ、かつユーザに音場の広がりを感じさせる。また、音響装置６０において、上方にあるスピーカユニット３のみ、または下方にあるスピーカユニット３のみを振動させて、音を放射してもよい。また、上述のように、２つの音響装置６０が、表示部の両方の側部に配置されている。よって、表示部の右半分と左半分とにおいて異なる映像を表示する場合、右側の音響装置６０は、表示部の右半分の映像に関する音声を放射し、かつ左側の音響装置６０は、表示部の左半分の映像に関する音声を放射してもよい。
【０１０３】
ここでは、エンクロージャ６１が有する形状は、円筒形である。円筒形などのように内部が流線形状を有していることは、スピーカユニット３の振動によって生じるエンクロージャ６１内部における風切り音を、小さくするために有効である。しかし、エンクロージャ６１は、円筒形に限らず、三角柱、四角柱、五角柱および六角柱などの多角柱、ならびに断面が長円形を有する筒状のような柱状を有していればよい。
【０１０４】
（音響装置７０）
音響装置７０は、音響装置６０と多くの点において共通しているので、音響装置７０と音響装置２０との差異およびその作用について、図７を用いて以下に説明する。
【０１０５】
図７に示すように、大画面を有し、かつ薄型のＴＶである液晶表示装置７９は、表示部の側部の両方に１つづつ音響装置７０を備えている。音響装置７０は、略同一直線上において逆向きに振動する１対のスピーカユニット３、略同一直線上において逆向きに振動する１対のパッシブラジエータ５、および円筒形のエンクロージャ７１を備えている。１対のスピーカユニット３は、エンクロージャ７１の曲面の内、長軸方向に対する中央付近に保持されている。１対のパッシブラジエータ５は、エンクロージャ７１の長軸方向の端部に保持されている。つまり、音響装置７０は、１対のパッシブラジエータ５を備えること、および１対のスピーカユニット３が保持されている位置において、音響装置６０と異なっている。よって、音響装置７０は、１対のパッシブラジエータ５を備えているため、さらに低音域の音が増強される。
【０１０６】
（音響装置８０）
図８（ａ）に示すように、音響装置８０は、四角柱のエンクロージャ８１、１対のスピーカユニット３、および１対のパッシブラジエータ５を備えている。エンクロージャ６１の形状を除いて、音響装置８０は、音響装置２０と同じ構成を有している。エンクロージャ６１は、音響装置６０および７０と同様に柱状を有している。したがって、音響装置８０の構成についての詳細は、適宜、（音響装置２０）および（音響装置７０）の項を参照すればよい。なお、図８（ａ）は、〔実施の形態１〕の項において説明した音響装置１０〜４０と同様に、アンダースピーカタイプまたはアップスピーカタイプの表示装置に適用する場合を示している。図８（ｂ）は、サイドスピーカタイプの表示装置に適用する場合を示している。
【０１０７】
（液晶表示装置７９）
音響装置７０と液晶表示装置７９との組み合わせの例について、図９を用いて以下に説明する。
【０１０８】
図９（ａ）に示すように、２つの音響装置７０は、液晶表示装置７９の側部の両方に取り付けられている。つまり、液晶表示装置７９は、２つの音響装置７０が目立たない位置に取り付けられたサイドスピーカタイプの表示装置である。音響装置７０は、音の放射によって液晶表示装置７９に振動を伝えることがないので、液晶表示装置７９の内、筐体の端部のような目立たない位置にスピーカユニット３を配置することができる。よって、液晶表示装置７９のデザイン性を引き出す、音響装置７０の配置を可能にする。
【０１０９】
図９（ｂ）に示すように、１対のスピーカユニット３の内、前面側のスピーカユニット３は、液晶表示装置７９の中央側を向いており、かつ背面側のスピーカユニット３は、液晶表示装置７９の外側を向いている。すなわち、（液晶表示装置９）の項における音響装置１０の配置と同様である。しかし、音響装置７０は、液晶表示装置７９の表示部の両端に取り付けられているため、背面側のスピーカユニット３からの音がより効率的に前面側に回りこむことができる。
【０１１０】
ここでは、音響装置７０を備える液晶表示装置７９について説明したが、音響装置６０を備える液晶表示装置６９も同様の作用を有している。特に、音響装置６０を備える液晶表示装置６９において、２対のスピーカユニット３は、液晶表示装置６９の四隅に取り付けられる。このため、より目立たない位置にスピーカユニット３を配置することができるため、液晶表示装置６９のデザイン性をより引き出すことができる。
【産業上の利用可能性】
【０１１１】
本発明によれば、小型化および薄型化と同時に、音質の向上を実現する音響装置を実現できる。このため、音を放射する機器の全般に適用可能である。特に、大型の液晶表示装置に適用した場合、非常に有効である。
【図面の簡単な説明】
【０１１２】
【図１】本発明の一実施形態にかかる音響装置の構成を示す斜視図である。
【図２】図１の変形例の構成を示す斜視図である。
【図３】（ａ）は、図１の他の変形例の構成を示す斜視図であり、（ｂ）は、（ａ）の音響装置における音の放射部分を示す斜視図である。
【図４】図１のさらに他の変形例の構成を示す斜視図である。
【図５】（ａ）は、液晶表示装置における図１の音響装置の配置例を示す平面図であり、（ｂ）は、（ａ）の断面図である。
【図６】本発明の他の実施形態にかかる音響装置の構成を示す斜視図である。
【図７】図６の変形例の構成を示す斜視図である。
【図８】（ａ）は、図６の他の変形例の構成を示す斜視図であり、（ｂ）は、（ａ）の配置方向を変えた時の構成を示す斜視図である。
【図９】（ａ）は、液晶表示装置における図７の音響装置の配置例を示す平面図であり、（ｂ）は、（ａ）の断面図である。
【符号の説明】
【０１１３】
１        エンクロージャ（筐体）
１ｂ      突出部
１ｂ’    突出部
１ｂ’’  突出部
１ｄ      被覆部
３        スピーカユニット
５        パッシブラジエータ
９        液晶表示装置（表示装置）
１０      音響装置
２０      音響装置
２１      エンクロージャ（筐体）
２９      液晶表示装置（表示装置）
３０      音響装置
３１      エンクロージャ（筐体）
３３      開口部
３９      液晶表示装置（表示装置）
４０      音響装置
４１      エンクロージャ（筐体）
４９      液晶表示装置（表示装置）
６０      音響装置
６１      エンクロージャ（筐体）
６９      液晶表示装置（表示装置）
７０      音響装置
７１      エンクロージャ（筐体）
７９      液晶表示装置（表示装置）
【図１】
0005037386.tif 000002
【図２】
0005037386.tif 000003
【図３】
0005037386.tif 000004
【図４】
0005037386.tif 000005
【図５】
0005037386.tif 000006
【図６】
0005037386.tif 000007
【図７】
0005037386.tif 000008
【図８】
0005037386.tif 000009
【図９】
0005037386.tif 000010